(57)【要約】      （修正有）【課題】設置される場所の大きさ等の設置条件に応じて、全体の幅を調整可能なコンロ用ラックを提供する。【解決手段】コンロ用ラック１０は、第一ラック構成部２０と、第二ラック構成部３０と、連結構造部４０とを有する。コンロ用ラック１０は、第一ラック構成部２０及び第二ラック構成部３０が、物品を配置可能なように幅方向及び奥行き方向に拡がる第一配置部２２及び第二配置部３２と、設置位置から高さ方向に離れた位置において第一配置部２２及び第二配置部３２を支持する第一脚部２４及び第二脚部３４と、を有する。連結構造部４０は、第一ラック構成部２０及び第二ラック構成部３０の幅方向中間部に配され、第一ラック構成部２０及び第二ラック構成部３０の間隔を幅方向に伸縮可能に連結する。【選択図】図１
0003231739.tif 000002
【実用新案登録請求の範囲】
【請求項１】
コンロ上において使用されるラックであって、
第一ラック構成部と、
前記第一ラック構成部から離間して配される第二ラック構成部と、
前記第一ラック構成部及び前記第二ラック構成部を連結する連結構造部と、を有し、
前記第一ラック構成部及び前記第二ラック構成部の一方又は双方が、
物品を配置可能に水平方向に拡がる配置部と、
前記配置部を所定の高さにおいて支持する脚部と、を有し、
前記連結構造部が、前記第一ラック構成部と前記第二ラック構成部との間において、前記第一ラック構成部と前記第二ラック構成部との間隔を伸縮可能に連結すること、
を特徴とするコンロ用ラック。
【請求項２】
前記連結構造部が、
前記第一ラック構成部及び前記第二ラック構成部の一方又は双方に設けられ、前記幅方向内側に向けて延びるガイド体と、
前記ガイド体に対してスライド可能に連結される連結体と、
を有すること、を特徴とするコンロ用ラック。
【請求項３】
前記ガイド体が、筒状あるいは軸状とされており、
前記連結体が、前記ガイド体を挿入可能な筒状、あるいは前記ガイド体に対して挿入される筒状あるいは軸状のものとされていること、
を特徴とする請求項２に記載のコンロ用ラック。
【請求項４】
前記ガイド体及び前記連結体が、それぞれ前記奥行き方向に複数、所定の間隔をあけて配され、複数の前記連結体が離反しないように支持する支持体を有すること、
を特徴とする請求項４に記載のコンロ用ラック。
【請求項５】
鉛直方向からみた場合に、前記第一配置部及び第二配置部が、前記ガスバーナーを避ける傾斜部を有すること、
を特徴とする請求項１〜４のいずれかに記載のコンロ用ラック。
【考案の詳細な説明】
【技術分野】
【０００１】
本考案は、例えばコンロの奥側に形成される空間等に配置されるラックに関する。
【背景技術】
【０００２】
従来、下記特許文献１に開示されているフライパンラックのように、把手がついたフライパン等の重量物を、使い勝手よく収納するためのものが提供されている。下記特許文献１のフライパンラックは、引き出しに設置して、フライパンや片手鍋を保持・収納するためのラックであり、少なくともその一部が線材によって構成されたものとされている。また、このフライパンラックは、ラック上面に可動する仕切り棒が設けられ、仕切り棒とラック上面の間は嵌合部材によって接続されていることを特徴としている。
【先行技術文献】
【特許文献】
【０００３】
【特許文献１】特開２０１０−１４８７８８号公報
【考案の概要】
【考案が解決しようとする課題】
【０００４】
上述したフライパンラックは、ラック上面に設けられた可動式の仕切り棒を、フライパン等の収納対象物の厚みに応じて移動させることにより、収納対象物を立てた状態で収納可能である。しかしながら、上述したフライパンラックは、ラック全体の幅を変更できるものではない。そのため、上述したフライパンラックは、ラック全体の幅によって設置可能な場所が制限されてしまうという問題を有する。
【０００５】
そこで本考案は、設置される場所の大きさ等の設置条件に応じて、全体の幅を調整可能なラックの提供を目的とした。
【課題を解決するための手段】
【０００６】
上述した課題を解決すべく提供される本考案のラックは、ガスバーナーを有するコンロやＩＨコンロ等のコンロ上において使用されるラックであって、
第一ラック構成部と、
前記第一ラック構成部から離間して配される第二ラック構成部と、
前記第一ラック構成部及び前記第二ラック構成部を連結する連結構造部と、を有し、
前記第一ラック構成部及び前記第二ラック構成部の一方又は双方が、
物品を配置可能に水平方向に拡がる配置部と、
前記配置部を所定の高さにおいて支持する脚部と、を有し、
前記連結構造部が、前記第一ラック構成部と前記第二ラック構成部との間において、前記第一ラック構成部と前記第二ラック構成部との間隔を伸縮可能に連結すること、
を特徴とする。
【０００７】
より具体的には、本考案のラックは、第一ラック構成部と、前記第一ラック構成部に対して幅方向に離れた位置に配される第二ラック構成部と、前記第一ラック構成部及び前記第二ラック構成部を連結する連結構造部と、を有し、前記第一ラック構成部及び前記第二ラック構成部のいずれか一方又は双方が、物品を配置可能なように前記幅方向及び奥行き方向に拡がる配置部と、設置位置から高さ方向に離れた位置において前記配置部を支持する脚部と、を有し、前記連結構造部が、前記第一ラック構成部及び前記第二ラック構成部の前記幅方向中間部に配され、前記第一ラック構成部及び前記第二ラック構成部の間隔を前記幅方向に伸縮可能に連結すること、を特徴とする。
【０００８】
かかる構成によれば、脚部によって設置位置よりも所定の高さだけ高い位置に配置部を配しつつ、第一ラック構成部と第二ラック構成部との間隔を任意に調整可能なラックを提供できる。例えば、本考案のラックをキッチンにおいてコンロの奥側にある空間に配置する場合には、ラックの幅がコンロの幅に応じて最適な大きさになるように、第一ラック構成部と第二ラック構成部との間隔を調整することができる。
【０００９】
上述したラックは、前記連結構造部が、前記第一ラック構成部及び前記第二ラック構成部のいずれか一方又は双方に設けられ、前記幅方向内側に向けて延びるガイド体と、前記ガイド体に対してスライド可能に連結される連結体と、を有すること、を特徴とするものであると良い。
【００１０】
かかる構成によれば、幅方向へのスライド操作により第一ラック構成部と第二ラック構成部との間隔を調整可能なラックを提供できる。
【００１１】
上述したラックは、前記ガイド体が、筒状あるいは軸状とされており、前記連結体が、前記ガイド体を挿入可能な筒状、あるいは前記ガイド体に対して挿入される筒状あるいは軸状のものとされていること、を特徴とするものであると良い。
【００１２】
かかる構成によれば、ガイド体を連結体に挿入した状態、あるいは連結体をガイド体に対して挿入した状態で幅方向にスライド操作することにより、第一ラック構成部と第二ラック構成部との間隔を調整可能なラックを提供できる。
【００１３】
また、上述したラックは、前記ガイド体及び前記連結体が、それぞれ前記奥行き方向に複数、所定の間隔をあけて配されること、を特徴とするものであると良い。
【００１４】
かかる構成によれば、第一ラック構成部及び第二ラック構成部の間隔を調整する際に、奥行き方向手前側と奥側とで幅方向へのスライド量に大きな差が生じないようにスライド操作を行うことが可能となる。
【００１５】
ここで、上述したように複数の連結体を設ける場合、第一ラック構成部及び第二ラック構成部の間隔を調整する際に一部の連結体が抜け落ちる等して、スライド操作の操作性を低下させてしまう懸念がある。
【００１６】
かかる知見に基づけば、上述したラックは、複数の前記連結体が離反しないように支持する支持体を有すること、を特徴とするものであると良い。
【００１７】
かかる構成によれば、複数の連結体を一体的に取り扱うことが可能となり、第一ラック構成部及び第二ラック構成部の間隔を調整する際の操作性の向上等が図れる。
【００１８】
上述したラックは、前記第一ラック構成部及び前記第二ラック構成部の前記配置部のうちいずれか一方又は双方において前記幅方向内側をなす縁部が、前記奥行き方向奥側から手前側の端部に向かうに連れて前記幅方向外側に向かうように傾斜あるいは湾曲するように形成されていること、を特徴とするものであると良い。
【００１９】
かかる構成によれば、第一ラック構成部及び第二ラック構成部において幅方向内側の部分において、ラックの近傍に配置される他物品と干渉するのを抑制できる。例えば、本考案のラックをキッチンにおいてコンロの奥側にある空間に配置する場合には、コンロの奥側に配置された鍋等との干渉を抑制できる。
【００２０】
上述したラックは、前記第一ラック構成部及び前記第二ラック構成部のいずれか一方又は双方において、前記脚部が、前記配置部において前記幅方向外側の縁部に連続するように形成されていること、を特徴とするものであると良い。
【００２１】
かかる構成によれば、第一ラック構成部及び第二ラック構成部の幅方向中間部に脚部を設ける場合に比べて、配置部の下方に形成される空間を有効利用しやすいラックを提供できる。
【００２２】
上述したラックは、前記配置部が、連子状あるいは格子状であること、を特徴とするものであると良い。
【００２３】
かかる構成によれば、配置部にゴミや埃、水分、油分等が溜まりにくく、配置部を清潔に維持可能なラックを提供できる。
【００２４】
上述したラックは、前記第一ラック構成部、第二ラック構成部、及び前記連結構造部への分解及び組み立てが可能であること、を特徴とするものであると良い。
【００２５】
かかる構成によれば、必要に応じて分解及び組み立てが可能な利便性に優れたラックを提供できる。
【００２６】
上述したラックは、コンロの奥側において、前記コンロの幅方向に前記第一ラック構成部及び第二ラック構成部が所定の間隔を開けて配置されるものであること、を特徴とするものであると良い。
【００２７】
かかる構成によれば、ラックの幅をコンロの幅等に応じて最適な大きさになるように、第一ラック構成部と第二ラック構成部との間隔を調整する等して使用可能なラックを提供できる。
【考案の効果】
【００２８】
本考案によれば、設置される場所の大きさ等の設置条件に応じて、全体の幅を調整可能なラックを提供できる。
【図面の簡単な説明】
【００２９】
【図１】本考案の一実施形態に係るラックの斜視図である。
【図２】図１に示したラックの平面図である。
【図３】図１に示したラックの正面図である。
【図４】図１に示したラックの分解斜視図である。
【図５】変形例に係るラックの斜視図である。
【図６】図５に示したラックの平面図である。
【考案を実施するための形態】
【００３０】
以下、本考案の一実施形態に係るコンロ用ラック（以下、単に「ラック」という。）について、図面を参照しつつ詳細に説明する。図１〜図４に示すように、ラック１０は、第一ラック構成部２０、第二ラック構成部３０、及び連結構造部４０を有する。ラック１０は、図４に示すように分解状態にある第一ラック構成部２０及び第二ラック構成部３０を連結構造部４０によって連結し、図１〜図３に示すように組み立てた状態とすることで使用できる。
【００３１】
ラック１０は、例えば第一ラック構成部２０及び第二ラック構成部３０が幅方向、奥行き方向等、任意の方向に並ぶように設置して使用可能であるが、以下の説明においては特に断りのない限り第一ラック構成部２０及び第二ラック構成部３０が幅方向に並ぶ状態で使用されるものとして説明する。
【００３２】
なお、以下の説明においては、第一ラック構成部２０及び第二ラック構成部３０が幅方向に並んだ状態を基準として、奥行き方向、及び高さ方向、上下方向、左右方向、水平方向等の方向についての説明を行う。以下、ラック１０を構成する各部について、さらに詳細に説明する。
【００３３】
第一ラック構成部２０は、第一配置部２２（配置部）、及び第一脚部２４（脚部）を備えている。第一ラック構成部２０は、金属製のパイプ材あるいは棒材を屈曲したり、溶接等の手法により連結したりして、各部が形成されている。
【００３４】
第一配置部２２は、物品を配置可能なように水平方向（即ち幅方向及び奥行き方向）に拡がる部分である。第一配置部２２は、連子状（横格子状）に形成されている。具体的には、第一配置部２２は、パイプ材あるいは棒材によって形成された第一横桟部２２ａ、第一外縦桟部２２ｂ、第一内縦桟部２２ｃ、及び第一傾斜桟部２２ｄを有する。
【００３５】
第一横桟部２２ａは、第一配置部２２において、幅方向に延びるように複数（本実施形態では６つ）、奥行き方向に所定の間隔をあけて設けられている。第一横桟部２２ａのうち、ラック１０において最も奥側となる位置に配置されるものから数えて所定数分（本実施形態では４つ分）の第一横桟部２２ａ（第一横桟部２２ａ１〜２２ａ４）は、略同一の長さとされている。また、これらよりも手前側に配置される第一横桟部２２ａ（第一横桟部２２ａ５，２２ａ６）は、ラック１０において手前側に向かうに連れて段階的に長さが短縮されている。
【００３６】
第一外縦桟部２２ｂは、第一横桟部２２ａの一端側（ラック１０の幅方向外側）において奥行き方向に延びるように設けられている。第一外縦桟部２２ｂは、第一ラック構成部２０の奥行き方向の略全体に亘って延びている。第一外縦桟部２２ｂは、それぞれの第一横桟部２２ａの一端側と連結されている。
【００３７】
また、第一内縦桟部２２ｃは、第一横桟部２２ａの他端側（ラック１０の幅方向内側）において奥行き方向に延びるように設けられている。第一内縦桟部２２ｃは、第一ラック構成部２０の奥行き方向奥側から中間部まで延びている。具体的には、上述した第一横桟部２２ａのうち、奥側の第一横桟部２２ａ１から、奥行き方向中間部にある第一横桟部２２ａ４の位置まで、第一内縦桟部２２ｃが延びている。第一内縦桟部２２ｃは、第一横桟部２２ａ１〜２２ａ４の他端側と連結されている。
【００３８】
第一傾斜桟部２２ｄは、第一内縦桟部２２ｃの奥行き方向手前側の端部と、第一横桟部２２ａのうち最も手前側に配置されたもの（第一横桟部２２ａ６）の端部とを繋ぐように配置されている。また、第一傾斜桟部２２ｄは、これに対して幅方向外側に隣接する位置にある第一横桟部２２ａ５，２２ａ６の他端側と連結されている。
【００３９】
第一配置部２２は、第一配置部２２は、第一横桟部２２ａ１，２２ａ６、第一外縦桟部２２ｂ、第一内縦桟部２２ｃ、及び第一傾斜桟部２２ｄによって縁部が形成されている。これにより、第一配置部２２は、平面視で略五角形の外縁形状を有する。また、第一配置部２２は、略五角形に形成された外縁の内側に、第一横桟部２２ａ２〜２２ａ５を配置し、外縁をなす部材に連結したものである。第一配置部２２は、このようにして連子状（横格子状）に形成されている。
【００４０】
第一脚部２４は、ラック１０が設置される部分（設置部）から高さ方向に離れた位置において第一配置部２２を支持するものである。第一脚部２４は、パイプ材あるいは棒材を加工することにより形成されている。本実施形態では、第一脚部２４は、略「コ」字状の形状とされている。第一脚部２４は、両端部を第一配置部２２において幅方向外側の縁部に連続するように接続されている。
【００４１】
第二ラック構成部３０は、上述した第一ラック構成部２０と対称の関係にあり、第一ラック構成部２０と同様の構成とされている。具体的には、第二ラック構成部３０は、第二配置部３２（配置部）、及び第二脚部３４（脚部）を備えている。第二ラック構成部３０は、第一ラック構成部２０と同様に、金属製のパイプ材あるいは棒材を屈曲したり、溶接等の手法により連結したりして、各部が形成されている。
【００４２】
第二配置部３２は、上述した第一配置部２２と同様の構成とされている。すなわち、第二配置部３２は、物品を配置可能なように幅方向及び奥行き方向に拡がる部分であり、連子状（横格子状）に形成されている。第二配置部３２は、第二横桟部３２ａ、第二外縦桟部３２ｂ、第二内縦桟部３２ｃ、及び第二傾斜桟部３２ｄを有する。
【００４３】
第二横桟部３２ａは、上述した第一横桟部２２ａと同様の構成とされている。第二横桟部３２ａは、第二配置部３２において、幅方向に延びるように複数（本実施形態では６つ）、奥行き方向に所定の間隔をあけて設けられている。第二横桟部３２ａのうち、ラック１０において最も奥側のものから数えて所定数分（本実施形態では４つ分）の第二横桟部３２ａ（第二横桟部３２ａ１〜３２ａ４）は、略同一の長さとされている。また、これらよりも手前側に配置される第二横桟部３２ａ（第二横桟部３２ａ５，３２ａ６）は、ラック１０において手前側に向かうに連れて段階的に長さが短縮されている。
【００４４】
第二外縦桟部３２ｂは、上述した第一外縦桟部２２ｂに対応するものである。第二外縦桟部３２ｂは、第二横桟部３２ａの幅方向外側において奥行き方向に延びるように設けられている。第二外縦桟部３２ｂは、それぞれの第二横桟部３２ａの一端側と連結されている。
【００４５】
第二内縦桟部３２ｃは、上述した第一内縦桟部２２ｃに対応するものである。第二内縦桟部３２ｃは、第二横桟部３２ａの幅方向内側において奥行き方向に延びるように設けられている。第二内縦桟部３２ｃは、第二横桟部３２ａ１から第二横桟部３２ａ４の位置まで延びている。第二内縦桟部３２ｃは、第二横桟部３２ａ１〜３２ａ４の他端側と連結されている。
【００４６】
第二傾斜桟部３２ｄは、上述した第一傾斜桟部２２ｄに対応するものである。第二傾斜桟部３２ｄは、第二内縦桟部３２ｃの奥行き方向手前側の端部と、第二横桟部３２ａ６の端部とを繋ぐように配置されている。また、第二傾斜桟部３２ｄは、これに対して幅方向外側に隣接する位置にある第二横桟部３２ａ５，３２ａ６の他端側と連結されている。
【００４７】
第二配置部３２は、第二配置部３２は、第二横桟部３２ａ１，３２ａ６、第二外縦桟部３２ｂ、第二内縦桟部３２ｃ、及び第二傾斜桟部３２ｄによって縁部が形成されている。これにより、第二配置部３２は、平面視で略五角形の外縁形状を有する。また、第二配置部３２は、略五角形に形成された外縁の内側に、第二横桟部３２ａ２〜３２ａ５を配置し、外縁をなす部材に連結したものである。第二配置部３２は、このようにして連子状（横格子状）に形成されている。
【００４８】
第二脚部３４は、ラック１０が設置される部分（設置部）から高さ方向に離れた位置において第二配置部３２を支持するものである。第二脚部３４は、パイプ材あるいは棒材を加工することにより形成されている。本実施形態では、第二脚部３４は、略「コ」字状の形状とされている。第二脚部３４は、両端部を第二配置部３２において幅方向外側の縁部に連続するように接続されている。
【００４９】
以上のように、第一配置部２２及び第二配置部３２がこのような形状を有することにより、本実施形態のラック１０を、コンロ上のガスバーナー奥に配置して使用する際に、ガスバーナー周辺部が略円状又は略矩形状を有するため、第一配置部２２及び第二配置部３２をガスバーナー周辺部の奥に適切に配置することができる。即ち、図２に示すように、本実施形態のラック１０を鉛直方向からみた場合に、前記第一配置部２０及び第二配置部３０が、それぞれ傾斜した第一傾斜桟部２２ｄ及び第二傾斜桟部３２ｄを有することにより、ガスバーナーを避ける（重ならない）構成を有する。
【００５０】
また、連結構造部４０は、幅方向に並べて配置された第一ラック構成部２０及び第二ラック構成部３０を連結するものである。連結構造部４０は、第一ラック構成部２０及び第二ラック構成部３０の幅方向中間部に配される。連結構造部４０は、第一ラック構成部２０及び第二ラック構成部３０の間隔を幅方向に伸縮可能に連結する。これにより、本実施形態のラック１０を、コンロ上のガスバーナーやＩＨ部分の奥に配置して使用する際に、ガスバーナーやＩＨ部分の周辺部の寸法に合わせて、第一ラック構成部２０及び第二ラック構成部３０の間隔を幅方向に伸縮させて調整することができる。
【００５１】
連結構造部４０は、ガイド体４２と、連結体４４と、支持体４６とを有する。ガイド体４２は、第一ラック構成部２０及び第二ラック構成部３０をラック１０の幅方向に相対移動可能なようにガイドするものである。ガイド体４２は、第一ラック構成部２０に設けられた第一ガイド体４２ａ、及び第二ラック構成部３０に設けられた第二ガイド体４２ｂを有する。第一ガイド体４２ａ及び第二ガイド体４２ｂは、それぞれ筒状あるいは軸状（本実施形態では軸状）のものとされている。また、第一ガイド体４２ａ及び第二ガイド体４２ｂは、第一配置部２２及び第二配置部３２から幅方向内側に向けて突出するように設けられている。具体的には、第一ガイド体４２ａ及び第二ガイド体４２ｂは、それぞれ基端側が第一内縦桟部２２ｃ及び第二内縦桟部３２ｃに固定されている。
【００５２】
また、第一ガイド体４２ａ及び第二ガイド体４２ｂは、第一内縦桟部２２ｃ及び第二内縦桟部３２ｃに対して交差（本実施形態では略直交）し、ラック１０の幅方向内側に向けて突出するように設けられている。本実施形態では、第一内縦桟部２２ｃと第一横桟部２２ａ１とが交差する位置の近傍、及び第一内縦桟部２２ｃと第一横桟部２２ａ３とが交差する位置の近傍が基端となるように、２本の第一ガイド体４２ａ，４２ａが取り付けられている。また、第二内縦桟部３２ｃと第二横桟部３２ａ１とが交差する位置、及び第二内縦桟部３２ｃと第二横桟部３２ａ３とが交差する位置の近傍が基端となるように、２本の第二ガイド体４２ｂ，４２ｂが取り付けられている。
【００５３】
連結体４４は、ガイド体４２（第一ガイド体４２ａ及び第二ガイド体４２ｂ）に対してスライド可能に連結される部材である。連結体４４は、ガイド体４２を挿入可能な筒状、あるいはガイド体に対して挿入される筒状あるいは軸状のものとされる。本実施形態では、連結体４４は、ガイド体４２を挿入可能な筒状のものとされている。また、連結体４４は、ラック１０の奥行き方向に複数（本実施形態では２つ）、所定の間隔を開けて配置されている。連結体４４，４４の間隔は、上述した第一ガイド体４２ａ，４２ａの間隔や、第二ガイド体４２ｂ，４２ｂの間隔に対応するものとされている。そのため、連結体４４，４４の一端側から第一ガイド体４２ａ，４２ａを挿入し、連結体４４，４４の他端側から第二ガイド体４２ｂ，４２ｂを挿入することができる。
【００５４】
支持体４６は、複数（本実施形態では２つ）の連結体４４，４４を、奥行き方向に所定の間隔を維持するように支持するものである。支持体４６は、連結体４４と同様に筒状あるいは軸状のものとされている。支持体４６は、平行に配された連結体４４，４４を長手方向中間部において橋渡しするように設けられ、両端部が連結体４４，４４に対して固定されている。これにより、連結体４４，４４と支持体４６とが略「エ」型となるように接続されている。
【００５５】
ラック１０は、第一ラック構成部２０、第二ラック構成部３０、及び連結構造部４０への分解及び組み立てが可能とされている。具体的には、図４に示すように、第一ラック構成部２０及び第二ラック構成部３０を幅方向に並ぶように配置し、両者に固定された第一ガイド体４２ａ，４２ａ及び第二ガイド体４２ｂ，４２ｂをそれぞれ、連結体４４，４４の一端側及び他端側から挿入する。これにより、図１に示すように、連結体４４，４４を介して第一ラック構成部２０及び第二ラック構成部３０が連結された状態（組み立て状態）になる。
【００５６】
また、ラック１０は、組み立て状態において第一ラック構成部２０及び第二ラック構成部３０を近接あるいは離反する方向にスライドさせることにより、全体の幅を調整できる。ラック１０は、組み立て状態において連結体４４，４４から第一ガイド体４２ａ，４２ａ及び第二ガイド体４２ｂ，４２ｂが脱落するまでスライドさせることにより、第一ラック構成部２０、第二ラック構成部３０、及び連結構造部４０に分解された状態（分解状態）とすることができる。
【００５７】
上述したラック１０は、第一脚部２４及び第二脚部３４によって設置位置よりも所定の高さだけ高い位置に第一配置部２２及び第二配置部３２を配しつつ、第一ラック構成部２０と第二ラック構成部３０との間隔を任意に調整可能なラック１０を提供できる。また、ラック１０は、キッチンにおいてコンロの奥側にある空間に配置する場合に、コンロの幅に応じて最適な幅になるように、第一ラック構成部２０と第二ラック構成部３０との間隔を調整することができる。
【００５８】
上述したラック１０は、連結構造部４０が、第一ラック構成部２０及び第二ラック構成部３０において、幅方向内側に向けて延びる第一ガイド体４２ａ，４２ａ及び第二ガイド体４２ｂ，４２ｂを有する。また、ラック１０は、第一ガイド体４２ａ，４２ａ及び第二ガイド体４２ｂ，４２ｂに対してスライド可能に連結される連結体４４，４４を有する。これにより、ラック１０は、幅方向へのスライド操作により第一ラック構成部２０と第二ラック構成部３０との間隔を調整可能なものとされている。
【００５９】
上述したラック１０は、第一ガイド体４２ａ，４２ａ及び第二ガイド体４２ｂ，４２ｂが軸状とされており、連結体４４が筒状のものとされている。そのため、ラック１０は、連結体４４に対して第一ガイド体４２ａ，４２ａ及び第二ガイド体４２ｂ，４２ｂを連結体４４に挿入した状態において進退させることより、第一ラック構成部２０と第二ラック構成部３０との間隔を調整できる。
【００６０】
なお、本実施形態では、第一ガイド体４２ａ，４２ａ及び第二ガイド体４２ｂ，４２ｂを軸状とした例を示したが、これらのうち一部又は全部が筒状のものであっても良い。また、本実施形態では、連結体４４が、第一ガイド体４２ａ，４２ａ及び第二ガイド体４２ｂ，４２ｂを挿入可能な筒状である例を示したが、本考案はこれに限定されない。具体的には、連結体４４を軸状のものとしつつ、第一ガイド体４２ａ，４２ａ及び第二ガイド体４２ｂ，４２ｂを筒状のものとし、連結体４４を第一ガイド体４２ａ，４２ａ及び第二ガイド体４２ｂ，４２ｂに対して挿入して連結するもの等としても良い。
【００６１】
上述したラック１０は、第一ガイド体４２ａ，４２ａ及び第二ガイド体４２ｂ，４２ｂ及び連結体４４が、それぞれ奥行き方向に複数、所定の間隔をあけて配されたものとされている。そのため、ラック１０は、第一ラック構成部２０及び第二ラック構成部３０の間隔を調整する際に、奥行き方向手前側と奥側とで幅方向へのスライド量に大きな差が生じないようにスライド操作を行うことができる。
【００６２】
なお、本実施形態では、第一ガイド体４２ａ，４２ａ及び第二ガイド体４２ｂ，４２ｂ及び連結体４４を奥行き方向に並べて配した例を示したが、本考案はこれに限定されない。例えば、ラック１０は、第一ガイド体４２ａ，４２ａ及び第二ガイド体４２ｂ，４２ｂ及び連結体４４を、上下方向に並べて配したもの等としても良い。
【００６３】
上述したように、ラック１０は、複数（本実施形態では２つ）の連結体４４を略平行に設け、両者が離反しないように支持体４６によって支持したものとされている。そのため、ラック１０は、連結体４４，４４を一体的に取り扱うことが可能となり、第一ラック構成部２０及び第二ラック構成部３０の間隔を調整する際の操作性の向上等が図れる。なお、本実施形態では、連結体４４，４４を支持体４６によって連結した例を示したが、本考案はこれに限定されない。例えば、連結体４４，４４を支持体４６によって一体化せず、連結体４４，４４がそれぞれ独立した構成としても良い。
【００６４】
上述したラック１０は、第一配置部２２及び第二配置部３２が、第一傾斜桟部２２ｄ及び第二傾斜桟部３２ｄを有し、第一配置部２２及び第二配置部３２の幅方向内側の縁部が奥行き方向奥側から手前側の端部に向かうに連れて幅方向外側に向かうように傾斜したものとされている。すなわち、ラック１０は、第一配置部２２及び第二配置部３２において幅方向内側であって奥行き方向手前側を角落とししたような形状とされている。そのため、本考案のラック１０をキッチンにおいてコンロの奥側にある空間に配置する場合には、コンロの奥側に配置された鍋等との干渉を抑制できる。特に、コンロが手前に二口のバーナを有し、奥側に一口のバーナを有する三口タイプのものである場合には、奥側に設けられた一口のバーナを利用する場合であっても、鍋等と干渉しないように配置することができる。
【００６５】
なお、本実施形態では、第一配置部２２及び第二配置部３２が、共に第一傾斜桟部２２ｄ及び第二傾斜桟部３２ｄを備え、角落としした形状とした例を示したが、本項案はこれに限定されない。例えば、図５や図６に示す変形例のように、第一配置部２２及び第二配置部３２が、共に第一傾斜桟部２２ｄ及び第二傾斜桟部３２ｄを有さず、平面視が略矩形の形状のものとしたり、第一配置部２２及び第二配置部３２のうちいずれか一方が図５や図６に示すように平面視が略矩形のものとしても良い。
【００６６】
また、本実施形態では、第一配置部２２及び第二配置部３２において、ラック１０の幅方向内側の角部に直線的に延びる第一傾斜桟部２２ｄ及び第二傾斜桟部３２ｄを設けた例を示したが、第一傾斜桟部２２ｄ及び第二傾斜桟部３２ｄに変えて湾曲した形状のものを設けても良い。
【００６７】
上述したラック１０は、第一脚部２４及び第二脚部３４が、第一配置部２２及び第二配置部３２において幅方向外側の第一外縦桟部２２及び第二外縦桟部３２に連続するように形成されている。そのため、ラック１０は、第一ラック構成部２０及び第二ラック構成部３０の幅方向中間部に第一脚部２４及び第二脚部３４を設ける場合に比べて、第一配置部２２及び第二配置部３２の下方に形成される空間を有効利用しやすい。なお、ラック１０は、第一脚部２４及び第二脚部３４のうちいずれか一方又は双方が、第一ラック構成部２０及び第二ラック構成部３０の幅方向中間部や、幅方向内側の端部に設けられたものであっても良い。
【００６８】
上述したラック１０は、第一配置部２２及び第二配置部３２が、連子状（横格子状）の形状とされている。そのため、ラック１０は、第一配置部２２及び第二配置部３２にゴミや埃、水分、油分等が溜まりにくく、第一配置部２２及び第二配置部３２を清潔に維持しやすい。なお、本実施形態では、第一配置部２２及び第二配置部３２の双方を横格子状のものとした例を示したが、第一配置部２２及び第二配置部３２のいずれか一方又は双方を縦格子状（連子状）のものや格子状のものとしても良い。このようにした場合についても、上記実施形態に示したものと同様の作用効果が期待できる。
【００６９】
また、ラック１０は、第一配置部２２及び第二配置部３２のいずれか一方又は双方を連子状や格子状とせず、パンチングメタルやエキスパンドメタルのように多数の孔を備えたもの等であっても良い。このような構成とした場合にも、上記実施形態のものと同様の効果が期待できる。また、ラック１０は、第一配置部２２及び第二配置部３２のいずれか一方又は双方が、板状のもの等であっても良い。このような構成とした場合には、製作コストを抑制したり、第一配置部２２及び第二配置部３２に小さな物品を配置しても落下しないものとしたりすることができる。
【００７０】
上述したラック１０は、第一ラック構成部２０、第二ラック構成部３０、及び連結構造部４０への分解及び組み立てが可能である。そのため、ラック１０は、必要に応じて分解及び組み立てが可能であり、利便性に優れている。また、ラック１０は、分解することによりコンパクトになるため、ラック１０の幅よりも小さな箱等に収納することが可能である。
【００７１】
上述したラック１０は、コンロの奥側において、コンロの幅方向に第一ラック構成部２０及び第二ラック構成部３０が所定の間隔を開けて配置されるものとして例示したが、本考案はこれに限定されず、様々な箇所や用途において使用可能なものとすることができる。
【産業上の利用可能性】
【００７２】
本考案に係るラックは、様々なラックにおいて好適に利用可能であり、なかでもコンロの奥側に配置されるラックとして好適である。例えば支持体４６は省略してもよい。また、支持体４６の有無に関わらず、本考案の効果を損なわない範囲で、連結体４４としては種々の形状や寸法（長さ）のものを利用でき、例えば複数種の長さの連結体４４をセット販売してもよい。
【符号の説明】
【００７３】
１０    ：ラック
２０    ：第一ラック構成部
２２    ：第一配置部
２２ｄ  ：第一傾斜桟部
２４    ：第一脚部
３０    ：第二ラック構成部
３２    ：第二配置部
３２ｄ  ：第二傾斜桟部
３４    ：第二脚部
４０    ：連結構造部
４２ａ  ：第一ガイド体
４２ｂ  ：第二ガイド体
４４    ：連結体
４６    ：支持体
【図１】
0003231739.tif 000003
【図２】
0003231739.tif 000004
【図３】
0003231739.tif 000005
【図４】
0003231739.tif 000006
【図５】
0003231739.tif 000007
【図６】
0003231739.tif 000008
【手続補正書】
【提出日】令和3年2月17日(2021.2.17)
【手続補正１】
【補正対象書類名】実用新案登録請求の範囲
【補正対象項目名】全文
【補正方法】変更
【補正の内容】
【実用新案登録請求の範囲】
【請求項１】
コンロ上において使用されるラックであって、
第一ラック構成部と、
前記第一ラック構成部から離間して配される第二ラック構成部と、
前記第一ラック構成部及び前記第二ラック構成部を連結する連結構造部と、を有し、
前記第一ラック構成部及び前記第二ラック構成部の一方又は双方が、
物品を配置可能に水平方向に拡がる配置部と、
前記配置部を所定の高さにおいて支持する脚部と、を有し、
前記連結構造部が、前記第一ラック構成部と前記第二ラック構成部との間において、前記第一ラック構成部と前記第二ラック構成部との間隔を伸縮可能に連結すること、
を特徴とするコンロ用ラック。
【請求項２】
前記連結構造部が、
前記第一ラック構成部及び前記第二ラック構成部の一方又は双方に設けられ、前記幅方向内側に向けて延びるガイド体と、
前記ガイド体に対してスライド可能に連結される連結体と、
を有すること、を特徴とする請求項１に記載のコンロ用ラック。
【請求項３】
前記ガイド体が、筒状あるいは軸状とされており、
前記連結体が、前記ガイド体を挿入可能な筒状、あるいは前記ガイド体に対して挿入される筒状あるいは軸状のものとされていること、
を特徴とする請求項２に記載のコンロ用ラック。
【請求項４】
前記ガイド体及び前記連結体が、それぞれ前記奥行き方向に複数、所定の間隔をあけて配され、複数の前記連結体が離反しないように支持する支持体を有すること、
を特徴とする請求項２又は３に記載のコンロ用ラック。
【請求項５】
前記配置部が、コンロ上において使用される際、鉛直方向からみた場合に、前記ガスバーナーを避ける傾斜部を有すること、
を特徴とする請求項１〜４のいずれかに記載のコンロ用ラック。